(57)【要約】【課題】被水した場合において、勝手に所定の負荷が制御されるのを防止することができる車両用スイッチシステムを提供すること。【解決手段】パワーウインドウスイッチシステム１１は、バッテリ電源と接続されたスイッチ１７と、バッテリ電源と接続されない第１及び第２検出用コネクタ１４ｄ，１４ｅと、同スイッチ１７及び第１及び第２検出用コネクタ１４ｄ，１４ｅと電気的に接続された制御部１３を備える。そして、制御部１３は、スイッチ１７からスイッチ操作信号を入力可能であり、同信号に基づいてモータＭを制御する。また、制御部１３は、第１及び第２検出用コネクタ１４ｄ，１４ｅから被水検出信号を入力可能である。そして、制御部１３は、入力する被水検出信号Ｑの変化の割合｜ΔＶ／ΔＴ｜が開始基準値ΔＶ１／ΔＴ以上の大きさである場合には、モータＭの制御を行わない。【選択図】        図１
2004312957.tif 000002
【特許請求の範囲】
【請求項１】
電源と接続されたスイッチ手段と、
該スイッチ手段のオン・オフに基づいてスイッチ操作信号を入力するとともに、該スイッチ操作信号の大小に基づいて所定の負荷を制御する制御手段とを備えた車両用スイッチシステムであって、
被水した場合には、前記制御手段に対して被水検出信号を出力する被水検出手段を備え、
前記制御手段は、入力する前記被水検出信号の変化の割合が開始基準値を超えた場合に、前記スイッチ操作信号の無効化を行うことを特徴とする車両用スイッチシステム。
【請求項２】
前記制御手段は、入力する前記被水検出信号の変化の割合が終了基準値以下となるのに基づいて、前記スイッチ操作信号の無効化を終了することを特徴とする請求項１に記載の車両用スイッチシステム。
【請求項３】
前記スイッチ操作信号の無効化の終了に関して、
前記制御手段は、前記被水検出信号を複数回入力するとともに、各回の被水検出信号の変化の割合を前記終了基準値と比較し、該比較した複数回分の変化の割合のうち、２回分以上の変化の割合が前記終了基準値以下となるのに基づいて
行うことを特徴とする請求項２に記載の車両用スイッチシステム。
【請求項４】
前記制御手段は、前記被水検出信号を被水検出閾値以上で入力する場合であって、かつ、前記被水検出信号の変化の割合が開始基準値を超えた場合に、前記スイッチ操作信号の無効化を行うことを特徴とする請求項１〜３のうちいずれか一項に記載の車両用スイッチシステム。
【請求項５】
前記被水検出閾値は、前記スイッチ操作信号の無効化の終了後に安定する前記被水検出信号よりも大きく設定されていることを特徴とする請求項４に記載の車両用スイッチシステム。
【請求項６】
前記制御手段は、前記スイッチ操作信号の無効化を終了してから引き続き、前記被水検出信号を前記被水検出閾値以下で入力する場合には、
入力する前記スイッチ操作信号の大きさと変化量とに基づいて前記所定の負荷を制御することを特徴とする請求項５に記載の車両用スイッチシステム。
【請求項７】
電源と接続されたスイッチ手段と、
該スイッチ手段のオン・オフに基づいてスイッチ操作信号を入力するとともに、該スイッチ操作信号の大小に基づいて所定の負荷を制御する制御手段とを備えた車両用スイッチシステムであって、
被水した場合には、前記制御手段に対して被水検出信号を出力する被水検出手段を備え、
前記制御手段は、前記被水検出信号を入力する場合であって、かつ、入力する前記スイッチ操作信号の変化の割合が開始基準値を超えた場合に、前記スイッチ操作信号の無効化を行うことを特徴とする車両用スイッチシステム。
【請求項８】
前記制御手段は、入力する前記スイッチ操作信号の変化の割合が終了基準値以下となるのに基づいて、前記スイッチ操作信号の無効化を終了することを特徴とする請求項１又は請求項７に記載の車両用スイッチシステム。
【請求項９】
前記スイッチ手段と前記制御手段とは、コネクタ手段により電気的に接続され、前記被水検出手段は、前記コネクタ手段に備えられた電極であることを特徴とする請求項１〜８のうちいずれか一項に記載の車両用スイッチシステム。
【発明の詳細な説明】
【０００１】
【発明の属する技術分野】
本発明は、車両用スイッチシステムに係り、詳しくは被水検出機能を備えた車両用スイッチシステムに関するものである。
【０００２】
【従来の技術】
一般に、例えば車両用のパワーウインドウスイッチシステムは、操作部及び車両用ＥＣＵを備える。操作部は、電源と接続されるとともに、操作者により操作可能なスイッチを備える。また、車両用ＥＣＵは、パワーウインドウを上昇又は下降するように駆動するモータと接続され、同モータの回転を制御可能となっている。また、これら操作部のスイッチと車両用ＥＣＵとは電気的に接続されている。そして、車両用ＥＣＵは、スイッチ操作に基づいてスイッチ操作信号を入力するとともに、同入力したスイッチ操作信号の大小に基づいてモータの回転駆動制御を行う構成となっている。また、通常、このような車両用ＥＣＵは、被水した状態において、入力信号の誤認を防止し得るように防水構造となっている（例えば、特許文献１参照。）。
【０００３】
【特許文献１】
特開２００２−１３９６４号公報（段落番号「００１６」〜「００４５」、第１図）
【０００４】
【発明が解決しようとする課題】
しかし、上記パワーウインドウスイッチシステムにおいては、車両用ＥＣＵは防水構造となっていても、操作部が防水構造となっていない場合が多い。また、一般に、操作部及び車両用ＥＣＵはコネクタにより接続されるが、そのコネクタも防水構造となっていない場合が多い。そのため、何らかの原因で上記パワーウインドウシステムが被水してしまうと、コネクタや操作部で漏電（リーク）が生ずる。
【０００５】
このような場合には、コネクタや操作部にて生ずるリーク電位が車両用ＥＣＵに入力されることとなるが、車両用ＥＣＵは同リーク電位をスイッチ操作信号と誤認してモータを回転駆動制御してしまうことがあった。一方で、このようなリークが発生した場合には、スイッチ操作に基づくスイッチ操作信号も不安定となってしまう。そのため、車両用ＥＣＵは、スイッチ操作があるにもかかわらず、スイッチ操作がないものと誤認してモータを回転駆動制御しないこともあった。
【０００６】
本発明は上記問題点を解決するためになされたものであり、その目的は、被水した場合において、勝手に所定の負荷が制御されるのを防止することができる車両用スイッチシステムを提供することにある。
【０００７】
【課題を解決するための手段】
上記問題点を解決するために、請求項１に記載の発明は、電源と接続されたスイッチ手段と、該スイッチ手段のオン・オフに基づいてスイッチ操作信号を入力するとともに、該スイッチ操作信号の大小に基づいて所定の負荷を制御する制御手段とを備えた車両用スイッチシステムであって、被水した場合には、前記制御手段に対して被水検出信号を出力する被水検出手段を備え、前記制御手段は、入力する前記被水検出信号の変化の割合が開始基準値を超えた場合に、前記スイッチ操作信号の無効化を行うことを要旨とする。
【０００８】
請求項２に記載の発明は、請求項１に記載の車両用スイッチシステムにおいて、前記制御手段は、入力する前記被水検出信号の変化の割合が終了基準値以下となるのに基づいて、前記スイッチ操作信号の無効化を終了することを要旨とする。
【０００９】
請求項３に記載の発明は、請求項２に記載の車両用スイッチシステムにおいて、前記スイッチ操作信号の無効化の終了に関して、前記制御手段は、前記被水検出信号を複数回入力するとともに、各回の被水検出信号の変化の割合を前記終了基準値と比較し、該比較した複数回分の変化の割合のうち、２回分以上の変化の割合が前記終了基準値以下となるのに基づいて行うことを要旨とする。
【００１０】
請求項４に記載の発明は、請求項１〜３のうちいずれか一項に記載の車両用スイッチシステムにおいて、前記制御手段は、前記被水検出信号を被水検出閾値以上で入力する場合であって、かつ、前記被水検出信号の変化の割合が開始基準値を超えた場合に、前記スイッチ操作信号の無効化を行うことを要旨とする。
【００１１】
請求項５に記載の発明は、請求項４に記載の車両用スイッチシステムにおいて、前記被水検出閾値は、前記スイッチ操作信号の無効化の終了後に安定する前記被水検出信号よりも大きく設定されていることを要旨とする。
【００１２】
請求項６に記載の発明は、請求項５に記載の車両用スイッチシステムにおいて、前記制御手段は、前記スイッチ操作信号の無効化を終了してから引き続き、前記被水検出信号を前記被水検出閾値以下で入力する場合には、入力する前記スイッチ操作信号の大きさと変化量とに基づいて前記所定の負荷を制御することを要旨とする。
【００１３】
請求項７に記載の発明は、電源と接続されたスイッチ手段と、該スイッチ手段のオン・オフに基づいてスイッチ操作信号を入力するとともに、該スイッチ操作信号の大小に基づいて所定の負荷を制御する制御手段とを備えた車両用スイッチシステムであって、被水した場合には、前記制御手段に対して被水検出信号を出力する被水検出手段を備え、前記制御手段は、前記被水検出信号を入力する場合であって、かつ、入力する前記スイッチ操作信号の変化の割合が開始基準値を超えた場合に、前記スイッチ操作信号の無効化を行うことを要旨とする。
【００１４】
請求項８に記載の発明は、請求項１又は請求項７に記載の車両用スイッチシステムにおいて、前記制御手段は、入力する前記スイッチ操作信号の変化の割合が終了基準値以下となるのに基づいて、前記スイッチ操作信号の無効化を終了することを要旨とする。
【００１５】
請求項９に記載の発明は、請求項１〜８のうちいずれか一項に記載の車両用スイッチシステムにおいて、前記スイッチ手段と前記制御手段とは、コネクタ手段により電気的に接続され、前記被水検出手段は、前記コネクタ手段に備えられた電極であることを要旨とする。
【００１６】
【発明の実施の形態】
（第１実施形態）
以下、本発明を具体化した一実施形態を図１〜図４に従って説明する。
【００１７】
図１に示すように、パワーウインドウスイッチシステム１１は、操作部１２と、制御手段としての制御部１３と、同操作部１２及び制御部１３を電気的に接続するコネクタ手段としてのコネクタ部１４とを備える。
【００１８】
操作部１２は、電源ポート１５及び出力ポート１６を有する。操作部１２は、電源ポート１５にてイグニッションスイッチ（以下、ＩＧという。）と接続され、同ＩＧを介して電源バッテリ（電源）と接続される。そのため、操作部１２は、ＩＧがオンで電力供給される構成である。
【００１９】
また、操作部１２は、出力ポート１６にてコネクタ部１４と接続される。本実施形態の出力ポート１６は、アップ出力ポート１６ａ、ダウン出力ポート１６ｂ及びオート出力ポート１６ｃの３つのポートを備えて構成される。アップ出力ポート１６ａは、制御部１３がパワーウインドウ（以下、ウインドウという。）をアップ（上昇）する処理を行うアップ信号を出力するポートである。ダウン出力ポート１６ｂは、制御部１３がウインドウをダウン（下降）する処理を行うダウン信号を出力するポートである。また、オート出力ポート１６ｃは、制御部１３が現在行っている処理（ウインドウのアップ又はダウン）を自動的に継続して行うオート信号を出力するポートである。
【００２０】
また、操作部１２は、操作者によりオン・オフ操作可能にされたスイッチ１７を備える。本実施形態のスイッチ１７は、それぞれ電源ポート１５と接続されたアップスイッチ１７ａ、ダウンスイッチ１７ｂ及びオートスイッチ１７ｃの３種類のスイッチを備えて構成される。アップスイッチ１７ａは、アップ出力ポート１６ａと接続され、オン操作された際にアップ出力ポート１６ａからアップ信号を出力する。ダウンスイッチ１７ｂは、ダウン出力ポート１６ｂと接続され、オン操作された際にダウン出力ポート１６ｂからダウン信号を出力する。オートスイッチ１７ｃは、オート出力ポート１６ｃと接続され、オン操作された際にオート出力ポート１６ｃからオート信号を出力する。従って、本実施形態におけるスイッチ操作信号Ｐは、アップ信号、ダウン信号及びオート信号の３種類の信号を備える。なお、オートスイッチ１７ｃは、アップスイッチ１７ａ又はダウンスイッチ１７ｂが操作された後に操作可能となるいわゆる２段スイッチに形成されている。
【００２１】
コネクタ部１４は、アップコネクタ１４ａ、ダウンコネクタ１４ｂ、オートコネクタ１４ｃ、第１検出用コネクタ１４ｄ及び第２検出用コネクタ１４ｅの５つのコネクタを備えている。アップコネクタ１４ａは、アップ出力ポート１６ａと接続され、同アップ出力ポート１６ａから出力されたアップ信号を制御部１３に入力する。ダウンコネクタ１４ｂは、ダウン出力ポート１６ｂと接続され、同ダウン出力ポート１６ｂから出力されたダウン信号を制御部１３に入力する。オートコネクタ１４ｃは、オート出力ポート１６ｃと接続され、同オート出力ポート１６ｃから出力されたオート信号を制御部１３に入力する。
【００２２】
また、図１に示すように、第１検出用コネクタ１４ｄ及び第２検出用コネクタ１４ｅは、電源バッテリや操作部１２等と接続されない構成である。すなわち、第１検出用コネクタ１４ｄ及び第２検出用コネクタ１４ｅは、それぞれ制御部１３とのみ接続される。そして、被水した場合には、リークしてリーク電位を得ることで、同制御部１３に被水検出信号Ｑを出力する。
【００２３】
なお、コネクタ部１４は、例えば図２に示すように、複数の収容室３０を区画して有するものである。このコネクタ部１４は、各収容室３０ごとにコネクタ１４ａ〜ｅを、その内壁に設けられた電極として備える。
【００２４】
図２に示すように、本実施形態の第１検出用コネクタ１４ｄ及び第２検出用コネクタ１４ｅは、各収容室３０のうち縁端以外の収容室３０に設けられる。この構成によれば、第１検出用コネクタ１４ｄ及び第２検出用コネクタ１４ｅは、操作部１２等と接続されて電位を印加される他のコネクタ１４ａ〜ｃ等に囲繞されることとなる。そのため、第１検出用コネクタ１４ｄ及び第２検出用コネクタ１４ｅは、被水した場合に他のコネクタとリークしやすくなりリーク電位を得ることが容易となる。
【００２５】
また、図２に示すように、アップコネクタ１４ａは、第１検出用コネクタ１４ｄに対応してその隣のポートに配置される。ダウンコネクタ１４ｂは、第２検出用コネクタ１４ｅに対応してその隣のポートに配置される。そのため、これらの構成によれば、アップコネクタ１４ａ又はダウンコネクタ１４ｂがリークした場合には、第１検出用コネクタ１４ｄ又は第２検出用コネクタ１４ｅも同時にリークしやすくなる。また、アップコネクタ１４ａ及びダウンコネクタ１４ｂは、各収容室３０のうち縁端となる箇所に配置され、他のコネクタとリークしにくくなっている。
【００２６】
制御部１３は、電源ポート１８ａ、接地ポート１８ｂ、ＩＧポート１８ｃ及び入力ポート１９を有する。制御部１３は、電源ポート１８ａにて電源バッテリと接続され、接地ポート１８ｂにて接地される。また、ＩＧポート１８ｃにてＩＧと接続され、ＩＧのオン・オフ状態を検知可能とされる。さらにまた、制御部１３は、入力ポート１９にてコネクタ部１４と接続されている。
【００２７】
入力ポート１９は、アップ入力ポート１９ａ、ダウン入力ポート１９ｂ、オート入力ポート１９ｃ、第１検出用入力ポート１９ｄ及び第２検出用入力ポート１９ｅの５つのポートを備えて構成される。アップ入力ポート１９ａは、アップコネクタ１４ａと接続され、アップ信号を入力するポートである。ダウン入力ポート１９ｂは、ダウンコネクタ１４ｂと接続され、ダウン信号を入力するポートである。オート入力ポート１９ｃは、オートコネクタ１４ｃと接続され、オート信号を入力するポートである。また、第１検出用入力ポート１９ｄ及び第２検出用入力ポート１９ｅは、それぞれ第１検出用コネクタ１４ｄ及び第２検出用コネクタ１４ｅと接続され、被水検出信号Ｑを入力するポートである。
【００２８】
また、制御部１３はＥＣＵ２０を備える。同ＥＣＵ２０は、ＣＰＵ２１を備え、所定の負荷としてのモータＭと電気的に接続される。ＣＰＵ２１は、各入力ポート１９ａ〜ｅと接続され、各信号を入力して処理する。なお、図１に示すように、第１検出用入力ポート１９ｄ及び第２検出用入力ポート１９ｅは、制御部１３内で接続されて、一つの信号（被水検出信号Ｑ）をＣＰＵ２１に入力するようになっている。そして、ＥＣＵ２０は、ＣＰＵ２１の処理に基づいてモータＭの回転を制御可能である。
【００２９】
ここで、ＣＰＵ２１（制御部１３）の被水検出機能について説明する。ＣＰＵ２１は、被水検出信号Ｑの入力に基づいて、パワーウインドウスイッチシステム１１の被水を検出する。すなわち、コネクタ部１４は、防水構造となっていないため、パワーウインドウスイッチシステム１１が被水すれば、第１検出用コネクタ１４ｄ又は第２検出用コネクタ１４ｅはリークする。すると、回路構造上では電位が印加されない第１検出用コネクタ１４ｄ又は第２検出用コネクタ１４ｅに、リーク電位が印加される。そして、ＣＰＵ２１は、同リーク電位を被水検出信号Ｑとして入力することで、パワーウインドウスイッチシステム１１の被水を認識する。なお、本実施形態のＣＰＵ２１は、後に詳述するが、被水検出信号Ｑと比較するための被水検出閾値ａを設定して備える。
【００３０】
次に、パワーウインドウスイッチシステム１１の作用について、ＣＰＵ２１の行う処理とともに説明する。図３（ａ）は、ＣＰＵ２１に入力される被水検出信号Ｑの変化を示す。横軸は時間、縦軸は被水検出信号Ｑの電位（リーク電位）である。図３（ｂ）は、ＣＰＵ２１に入力されるアップ信号、ダウン信号又はオート信号（以下、スイッチ操作信号Ｐという。）の変化を示す。横軸は時間、縦軸はスイッチ操作信号Ｐの電位である。
【００３１】
図３（ａ）のｔ０に示すように、パワーウインドウスイッチシステム１１が被水しておらず、第１検出用コネクタ１４ｄ及び第２検出用コネクタ１４ｅのいずれもリークしていない状態では、被水検出信号Ｑは０である。そして、パワーウインドウスイッチシステム１１が被水して、図３（ａ）のｔ１に示すように、第１検出用コネクタ１４ｄ及び第２検出用コネクタ１４ｅの少なくともいずれか一方がリークすると、被水検出信号Ｑは次第に大きくなる。すなわち、図３（ａ）に示すように、被水検出信号Ｑは、電源バッテリ（１２Ｖ）の近辺（１１Ｖ）まで一旦増加し、その後リーク抵抗が安定すると減少に転じ、さらにその後安定する。図３（ａ）では、７Ｖの辺りで安定している。
【００３２】
また、一般に、図３（ｂ）に示すように、スイッチ操作信号Ｐも被水検出信号Ｑと同様に変化するが、ｔ４に示すように、スイッチ１７が操作された場合には、瞬時に電源バッテリの電圧近くまで立ち上がる。そして、ＣＰＵ２１は、このように変化する信号Ｐ，Ｑに基づいて以下の処理を行う。
【００３３】
まず、ＣＰＵ２１に被水検出信号Ｑが入力されない状態について説明する。この状態では、ＣＰＵ２１は被水を検知しないため、スイッチ操作信号Ｐに基づいて通常通りの処理を行う。すなわち、ＣＰＵ２１は、アップ信号を入力した場合には、ウインドウをアップするように、モータＭの回転方向及び駆動を制御する。また、ＣＰＵ２１は、ダウン信号を入力した場合には、ウインドウをダウンするようにモータＭの回転方向及び駆動を制御する。ＣＰＵ２１は、オート信号を入力した場合には、ウインドウのアップ又はダウンを維持するようにモータＭの回転駆動を保持する制御を行うように処理する。なお、図３（ｂ）に示すように、本実施形態において、ＣＰＵ２１が、各信号の入力に基づいて処理するスレッショルドｂは１０Ｖに設定されている。
【００３４】
ｔ０〜ｔ１は、ＣＰＵ２１が被水検出信号Ｑを入力しない状態を示しており、上記通常通りの処理が行われる。
ｔ１は、パワーウインドウスイッチシステム１１が被水し始め、第１検出用コネクタ１４ｄ又は第２検出用コネクタ１４ｅにリーク電位が印加された状態を示す。このｔ１では、ＣＰＵ２１は被水検出信号Ｑを入力して被水を検知する。すると、ＣＰＵ２１は、入力した被水検出信号Ｑと上記被水検出閾値ａとの大小関係を比較する。その結果、ＣＰＵ２１は、比較した被水検出信号Ｑが被水検出閾値ａ以下の場合には、スイッチ操作信号Ｐの無効化を行うことなく、上記通常通りの処理を行う。これにより、第１検出用コネクタ１４ｄ又は第２検出用コネクタ１４ｅに、例えば結露等による微弱なリークやノイズ等が発生した場合において、ＣＰＵ２１が誤ってスイッチ操作信号Ｐの無効化を行ってしまうのが防止される。
【００３５】
また、本実施形態の被水検出閾値ａは、８Ｖに設定され、後にリーク抵抗が安定した場合に、被水検出信号Ｑが安定する７Ｖよりも大きく設定されている。これにより、後にリーク抵抗が安定し、被水検出信号Ｑが安定する領域（図３（ａ）ではｔ３以降）において、被水検出信号Ｑが８Ｖを超えることなく７Ｖの電位付近で細かく振動しても、ＣＰＵ２１がスイッチ操作信号Ｐの無効化を行わないようにすることができる。つまり、このような領域（ｔ３以降）では、パワーウインドウスイッチシステム１１は被水するが、リーク抵抗の安定によりスイッチ操作信号Ｐも安定（図３（ｂ）では７Ｖ）する。そのため、この領域（ｔ３以降）では、ＣＰＵ２１は、上記通常通りの処理と同様の処理を行うことも可能だからである。
【００３６】
一方で、被水検出信号Ｑは、第１検出用コネクタ１４ｄ又は第２検出用コネクタ１４ｅがリークしたｔ１からの時間の経過に伴って急激に大きくなっていく。その結果、ｔ２に示すように、被水検出信号Ｑが被水検出閾値ａを超える状態になると、ＣＰＵ２１は、入力する被水検出信号Ｑの変化の割合｜ΔＶ／ΔＴ｜に基づいて、以下のようなスイッチ操作信号Ｐの無効化を行う。換言すれば、スイッチ操作信号Ｐの無効化は、被水検出信号Ｑ＞被水検出閾値ａ、かつ、被水検出信号Ｑの変化の割合｜ΔＶ／ΔＴ｜＞開始基準値ΔＶ１／ΔＴの条件下で行われる。なお、この条件を満たさない場合にはスイッチ操作信号Ｐの無効化は行われず、この条件を満たすまで上記通常通りの処理が行われる。
【００３７】
ＣＰＵ２１は、その時々において、被水検出信号Ｑを入力するとともに、その入力した被水検出信号Ｑの変化の割合｜ΔＶ／ΔＴ｜を演算する。次に、ＣＰＵ２１は、その演算した変化の割合｜ΔＶ／ΔＴ｜と開始基準値ΔＶ１／ΔＴとを比較する。なお、本実施形態では、開始基準値ΔＶ１／ΔＴは、０．５Ｖ／２０ｍｓに設定されるが、これに限定されるものではない。その結果、演算した変化の割合｜ΔＶ／ΔＴ｜が開始基準値ΔＶ１／ΔＴを超えた場合には、ＣＰＵ２１は、スイッチ操作信号Ｐを無効化して、スイッチ操作信号Ｐの入力の有無にかかわらずモータＭを制御しない。なお、以下、このスイッチ操作信号Ｐの無効化が行われる時間帯を無効時間ｔと呼ぶ。そのため、ＣＰＵ２１は、この無効時間ｔにおいては、図３（ｂ）に示すように、スイッチ操作信号Ｐが１１Ｖになり、上記スレッショルドｂを超えるような場合であってもモータＭを制御することはない。
【００３８】
つまり、この無効時間ｔは、リーク抵抗が安定せず、被水検出信号Ｑの変化の割合｜ΔＶ／ΔＴ｜が開始基準値ΔＶ１／ΔＴを超えて被水検出信号Ｑが激しく変化する不安定な領域である。このとき、図３（ａ），（ｂ）に示すように、スイッチ操作信号Ｐも激しく変化する。そのため、この領域では、ＣＰＵ２１は、スイッチ操作信号Ｐを誤認しやすく、勝手にモータＭを制御しかねない。
【００３９】
この点、上記のように、このパワーウインドウスイッチシステム１１は、無効時間ｔの間、スイッチ操作信号Ｐを無効化してＣＰＵ２１にモータＭを制御させない構成を備える。従って、スイッチ１７の操作にかかわらず勝手にモータＭが制御されるのを防止できるようになる。
【００４０】
次に、ＣＰＵ２１がスイッチ操作信号Ｐの無効化を終了する処理について説明する。この処理については、図４を参照して詳述する。図４は、図３（ａ）と同様に、横軸は時間、縦軸は被水検出信号Ｑの電位である。なお、この図４におけるＣＰＵ２１の初期状態は、無効時間ｔを継続してスイッチ操作信号Ｐを無効化する状態である。
【００４１】
同図４に示すように、ＣＰＵ２１は、この無効時間ｔにおいても、ｘ１〜７のようにその時々に（サンプリングタイムΔＴである２０ｍｓごとに）被水検出信号Ｑを入力する。そして、ＣＰＵ２１は、入力した複数回の被水検出信号Ｑの変化の割合｜ΔＶ／ΔＴ｜をそれぞれ演算する。次に、ＣＰＵ２１は、その演算した複数回分の変化の割合｜ΔＶ／ΔＴ｜を、それぞれ終了基準値ΔＶ２／ΔＴと比較する。なお、本実施形態では、終了基準値ΔＶ２／ΔＴと開始基準値ΔＶ１／ΔＴとは、同じ値に設定されるが、これに限定されない。また、本実施形態では、入力した２回分の被水検出信号Ｑの変化の割合｜ΔＶ／ΔＴ｜を、それぞれ終了基準値ΔＶ２／ΔＴと比較するが、この回数もこれに限定されない。
【００４２】
その結果、ＣＰＵ２１は、例えば、ｘ１〜ｘ２，ｘ２〜ｘ３の２回や、ｘ２〜ｘ３，ｘ３〜ｘ４の２回の場合のように、入力した２回分の被水検出信号Ｑの変化の割合｜ΔＶ／ΔＴ｜が、いずれも終了基準値ΔＶ２／ΔＴ以下となっていない場合には、スイッチ操作信号Ｐの無効化を終了しない。つまり、上記の各場合では、ｘ２〜ｘ３での被水検出信号Ｑの変化の割合｜ΔＶ／ΔＴ｜は０でありΔＶ２／ΔＴ以下だが、ｘ１〜ｘ２，ｘ３〜ｘ４での被水検出信号Ｑの変化の割合｜ΔＶ／ΔＴ｜は終了基準値ΔＶ２／ΔＴを超えるため、スイッチ操作信号Ｐの無効化は終了されない。
【００４３】
一方で、ＣＰＵ２１は、例えば、ｘ４〜ｘ５，ｘ５〜ｘ６の２回や、ｘ５〜ｘ６，ｘ６〜ｘ７の２回の場合のように、入力した２回分の被水検出信号Ｑの変化の割合｜ΔＶ／ΔＴ｜が、いずれも終了基準値ΔＶ２／ΔＴ以下となっているような場合には、スイッチ操作信号Ｐの無効化を終了する。このような構成を備えることで、信号Ｐ，Ｑがほぼ完全に安定する状態になるまで、スイッチ操作信号Ｐの無効化は終了されず、無効時間ｔを継続させることが可能となる。
【００４４】
図３（ａ），（ｂ）に示すように、ｔ３は、スイッチ操作信号Ｐの無効化が終了した状態を示す。このｔ３以降は、リーク抵抗が安定しているため、被水はするものの信号Ｐ，Ｑは安定する。また、本実施形態ではいずれの信号も７Ｖ辺りで安定するため、ＣＰＵ２１は、被水検出信号Ｑが多少変動した場合であっても被水検出信号Ｑが被水検出閾値ａ（８Ｖ）を超えない限り、スイッチ操作信号Ｐの無効化を行わない。
【００４５】
また、本実施形態のＣＰＵ２１は、このｔ３以降であって被水検出信号Ｑを入力しない状態になるまでは、スイッチ操作信号Ｐの大きさと変化量とに基づいてモータＭを制御する。つまり、ＣＰＵ２１は、スイッチ操作信号Ｐがスレッショルドｂ（１０Ｖ）を超え、かつ、５０ｍｓあたりに所定値以上の変化量があった場合にモータＭを駆動する。本実施形態では、前記所定値は３Ｖに設定され、スイッチ操作信号Ｐが５０ｍｓ当たりに３Ｖ以上の変化量がある場合にモータＭを駆動する。
【００４６】
例えば、ｔ４に示すように、スイッチ操作信号Ｐが５０ｍｓ当たりに７Ｖから１１Ｖ辺りまで変化した場合には、ＣＰＵ２１は、同スイッチ操作信号Ｐに基づいてモータＭの制御を行う。
【００４７】
従って、上記実施形態によれば、以下のような効果を得ることができる。
（１）上記実施形態では、ＣＰＵ２１に関して、被水検出信号Ｑの変化の割合｜ΔＶ／ΔＴ｜が所定の開始基準値ΔＶ１／ΔＴを超えた場合には、スイッチ操作信号Ｐを無効化する構成とした。
【００４８】
従って、スイッチ操作信号Ｐが不安定になる無効時間ｔにおいて、ＣＰＵ２１が勝手にモータＭを制御してしまうのを防止できる。
（２）上記実施形態では、ＣＰＵ２１に関して、被水検出信号Ｑの変化の割合｜ΔＶ／ΔＴ｜が終了基準値ΔＶ２／ΔＴ以下となるのに基づいて、スイッチ操作信号Ｐの無効化を終了する構成とした。
【００４９】
従って、ＣＰＵ２１は、被水検出信号Ｑの変化が終了基準値ΔＶ２／ΔＴ以下となるような、被水時であっても被水検出信号Ｑが安定して入力されるような場合には、モータＭの制御を行うことができる。
【００５０】
（３）さらに上記実施形態では、ＣＰＵ２１に関して、入力した２回分の被水検出信号Ｑの変化の割合｜ΔＶ／ΔＴ｜が、いずれも終了基準値ΔＶ２／ΔＴ以下となった場合にスイッチ操作信号Ｐの無効化を終了する構成とした。
【００５１】
従って、信号Ｐ，Ｑがほぼ完全に安定する状態になるまで、無効時間ｔを継続させることが可能となる。そのため、スイッチ操作信号Ｐが不安定な状態にもかかわらず、制御部１３がモータＭを制御してしまうのを防止できる。
【００５２】
（４）上記実施形態では、ＣＰＵ２１に関して、入力する被水検出信号Ｑが被水検出閾値ａを超えるまでは、スイッチ操作信号Ｐを無効化しない構成とした。従って、第１検出用コネクタ１４ｄ又は第２検出用コネクタ１４ｅに、例えば結露等によるリークやノイズ等が発生した場合において、ＣＰＵ２１が誤ってスイッチ操作信号Ｐの無効化を行ってしまうのを防止できる。
【００５３】
（５）上記実施形態では、被水検出閾値ａを８Ｖとし、被水検出信号Ｑがその後に安定する７Ｖよりも大きく設定した。
従って、被水検出信号Ｑが安定する領域（図３（ａ）ではｔ３以降）において、被水検出信号Ｑが８Ｖを超えることなく、７Ｖの電位付近で細かく振動するような場合に、ＣＰＵ２１がスイッチ操作信号Ｐの無効化を開始してしまうのを防止できる。
【００５４】
（６）上記実施形態では、ＣＰＵ２１に関して、スイッチ操作信号Ｐの無効化の終了後、被水検出信号Ｑを入力しなくなるまでは、スイッチ操作信号Ｐの大きさと変化量とに基づいてモータＭを制御する構成とした。
【００５５】
従って、スイッチ操作信号Ｐの無効化の終了後におけるＣＰＵ２１が、スイッチ操作信号Ｐの入力を誤認してしまう場合をさらに防止できる。
（７）上記実施形態では、被水検出手段を、コネクタ部１４の電極たる第１検出用コネクタ１４ｄ及び第２検出用コネクタ１４ｅとして設けた。
【００５６】
従って、このようにコネクタ部１４を利用することにより、被水検出手段の設置におけるコストを低減できる。
（８）上記実施形態では、被水検出手段を、第１検出用コネクタ１４ｄ及び第２検出用コネクタ１４ｅの２つ設けたため、パワーウインドウスイッチシステム１１の被水の検出を容易とすることができる。
【００５７】
なお、上記実施形態は以下のように変更してもよい。
○上記実施形態では、制御部１３は、入力する被水検出信号Ｑの変化の割合｜ΔＶ／ΔＴ｜が開始基準値ΔＶ１／ΔＴを超えた場合に、スイッチ操作信号Ｐの無効化を行った。これに代えて、制御部１３は、被水検出信号Ｑを入力する状態であって、かつ、入力するスイッチ操作信号Ｐの変化の割合｜ΔＶ／ΔＴ｜が開始基準値ΔＶ１／ΔＴを超えた場合に、スイッチ操作信号Ｐの無効化を行ってもよい。
【００５８】
○上記実施形態では、制御部１３は、入力する被水検出信号Ｑの変化の割合｜ΔＶ／ΔＴ｜が終了基準値ΔＶ２／ΔＴ以下となるのに基づいて、スイッチ操作信号Ｐの無効化を終了した。これに代えて、制御部１３は、入力するスイッチ操作信号Ｐの変化の割合｜ΔＶ／ΔＴ｜が終了基準値ΔＶ２／ΔＴ以下となるのに基づいて、スイッチ操作信号Ｐの無効化を終了してもよい。
【００５９】
○上記実施形態では、被水検出手段を、コネクタ部１４に備えたが操作部１２に備えてもよい。この場合には、被水検出手段を例えば制御部１３と電気的に接続された電極として設け、特に各スイッチ１７の近傍にそれぞれ配置することが望ましい。このようにすれば、各スイッチの被水を個別に検出することが可能となる。
【００６０】
○上記実施形態では、ＣＰＵ２１に、無効時間ｔの終了後、被水検出信号Ｑを入力しない状態になるまでは、スイッチ操作信号Ｐの大きさと変化量とに基づいてモータＭを制御する構成を備えたが、スイッチ操作信号Ｐの大きさだけに基づいてモータＭを制御してもよい。
【００６１】
○上記実施形態では、被水検出閾値ａを、被水検出信号Ｑがその後に安定する電位よりも大きく設定したが、小さく設定してもよい。また、被水検出閾値ａを設定しなくてもよい。この場合には、ＣＰＵ２１は、被水検出信号Ｑの変化の割合｜ΔＶ／ΔＴ｜だけに基づいて、スイッチ操作信号Ｐの無効化を行うこととなる。
【００６２】
○上記実施形態では、ＣＰＵ２１に、入力した２回分の被水検出信号Ｑの変化の割合｜ΔＶ／ΔＴ｜が、いずれも終了基準値ΔＶ２／ΔＴ以下となった場合に無効時間ｔを終了する構成を備えた。しかし、これに代えて、入力した３回分以上の被水検出信号Ｑの変化の割合｜ΔＶ／ΔＴ｜が、いずれも終了基準値ΔＶ２／ΔＴ以下となった場合に無効時間ｔを終了する構成としてもよい。また、この場合、少なくとも１回の被水検出信号Ｑの変化の割合｜ΔＶ／ΔＴ｜が、終了基準値ΔＶ２／ΔＴ以下となった場合に無効時間ｔを終了する構成としてもよい。さらに、入力した１回分の被水検出信号Ｑの変化の割合｜ΔＶ／ΔＴ｜が、終了基準値ΔＶ２／ΔＴ以下となれば無効時間ｔを終了する構成としてもよい。
【００６３】
○上記実施形態では、ＣＰＵ２１は、被水検出信号Ｑの変化の割合｜ΔＶ／ΔＴ｜が終了基準値ΔＶ２／ΔＴ以下となるのに基づいてスイッチ操作信号Ｐの無効化を終了したが、スイッチ操作信号Ｐの無効化の開始から所定時間経過後に終了する等、他の手段で終了してもよい。
【００６４】
○また、上記実施形態において、ＣＰＵ２１は、スイッチ操作信号Ｐの無効化を行う処理に関しても、スイッチ操作信号Ｐの無効化の終了の処理と同様に、入力した複数回分の被水検出信号Ｑの変化の割合｜ΔＶ／ΔＴ｜と、開始基準値ΔＶ１／ΔＴとを比較するのに基づいて行ってもよい。
【００６５】
次に、上記実施形態及び各別例から把握できる技術的思想を以下に記載する。（１）前記コネクタ手段は複数の電極を備え、前記被水検出手段は前記複数の電極のうち、縁端以外に配置された電極とされていることを特徴とする請求項９に記載の車両用スイッチシステム。
【００６６】
（２）前記被水検出手段を複数備えることを特徴とする請求項１〜９，又は技術的思想（１）に記載の車両用スイッチシステム。
【００６７】
【発明の効果】
以上詳述したように、被水した場合において、スイッチ手段の操作にかかわらず、勝手に所定の負荷が制御されるのを防止することができる。
【図面の簡単な説明】
【図１】本発明にかかるパワーウインドウスイッチシステムの一実施形態の構成を示す概念図。
【図２】図１のパワーウインドウスイッチシステムに用いられるコネクタ部を示す簡略正面図。
【図３】（ａ）図１の制御部に入力される被水検出信号を示すグラフ。
（ｂ）図１の制御部に入力されるスイッチ操作信号を示すグラフ。
【図４】図１の制御部に入力される被水検出信号を示すグラフ。
【符号の説明】
１１…車両用スイッチシステムとしてのパワーウインドウスイッチシステム、１３…制御手段としての制御部、１４…コネクタ手段としてのコネクタ部、１４ｄ，１４ｅ…被水検出手段としての第１及び第２検出用コネクタ、１７…スイッチ手段としてのスイッチ、Ｐ…スイッチ操作信号、Ｑ…被水検出信号、｜ΔＶ／ΔＴ｜…変化の割合、ΔＶ１／ΔＴ…開始基準値、ΔＶ２／ΔＴ…終了基準値、ｔ…無効時間、ａ…被水検出閾値、ｂ…スレッショルド、Ｍ…所定の負荷としてのモータ。
【図１】
2004312957.tif 000003
【図２】
2004312957.tif 000004
【図３】
2004312957.tif 000005
【図４】
2004312957.tif 000006